(57)【要約】【課題】フィルターの枠部がカバー表面から見えることなく、インテリア性の良い換気装置を提供することを目的とする。【解決手段】本体７のフランジ部６を覆うように設けられる形状で中央部に通風開口９が形成されるカバー１０と、このカバー１０の通風開口９に設けられるフィルター１４とを備え、前記カバー１０は、前面を前方に膨出して湾曲面８に形成するとともに、前記フィルター１４は前記カバー１０の湾曲面８に沿わせる構成とし、前記フィルター１４の弾性力によって、前記カバー１０の内面の通風開口９縁部に設けた爪１５に係合させて、前記フィルター１４を前記カバー１０の裏面側２０から前記通風開口９に着脱自在に設けたことにより、インテリア性が良い換気装置が得られる。【選択図】図２
2008241102.tif 000002
【特許請求の範囲】
【請求項１】
壁部等に設けた換気口に装着される形状で内部にファンモータを有した筒部とフランジ部とによりなる本体と、この本体のフランジ部を覆うように設けられる形状で中央部に通風開口が形成されるカバーと、このカバーの通風開口に設けられるフィルターとを備え、前記カバーは、前面を前方に膨出して湾曲面に形成するとともに、前記フィルターは前記カバーの湾曲面に沿わせる構成とし、前記フィルターの弾性力によって、前記カバーの内面の通風開口縁部に設けた爪に係合させて、前記フィルターを前記カバーの裏面側から前記通風開口に着脱自在に設けたことを特徴とする換気装置。
【請求項２】
フィルターを、細い線材をほこり等が付着可能な間隔をあけて縦方向に多数並設し形成したことを特徴とする請求項１記載の換気装置。
【請求項３】
周囲に枠部を設けてフィルターを樹脂により形成した請求項１または２記載の換気装置。
【請求項４】
フィルターの下部に着脱用の取手を設けた請求項１〜３のいずれかに記載の換気装置。
【請求項５】
カバーに引掛部を設け、フィルターに係合する係合孔を設けた請求項１〜４のいずれかに記載の換気装置。
【請求項６】
フィルターとカバーを樹脂で一体に形成した請求項１記載の換気装置。
【請求項７】
通風開口に格子を有したカバーを備えた請求項１記載の換気装置。
【請求項８】
カバーの格子はフィルターの保持部材と位置を揃えた請求項７記載の換気装置。
【発明の詳細な説明】
【技術分野】
【０００１】
本発明は、本体内に設けられるファンモータの汚染を緩和するようにフィルターを設けた換気装置に関する。
【背景技術】
【０００２】
従来、この種の換気装置は、通風開口が形成されるカバーに、樹脂で形成された通風開口の縁に係合する爪を設けたフィルターを表側より取り付ける構成としていた（例えば、特許文献１参照）。
【０００３】
以下、特許文献１に示す換気装置について、図９を参照しながら説明する。
【０００４】
図９に示すように、ファンモータ１０１を有した筒部１０２と、筒部１０２より外方に突出する形状の本体１０３を形成し、本体１０３を覆う形状で前面を前方に膨出して湾曲面１０４を形成し、中央部に通風開口１０５を設けたカバー１０６に、樹脂の枠部１０７を持ったフィルター１０８に設けた爪１０９をカバー１０６の通風開口１０５の縁部に係合させ、フィルター１０８を保持させたカバー１０６を本体１０３に係合させて取り付ける構成としていた。
【特許文献１】特開２００４−１１６８９６号公報
【発明の開示】
【発明が解決しようとする課題】
【０００５】
このような従来の換気装置は中央部に通風開口１０５を設けたカバー１０６に、フィルター１０８に設けた爪１０９をカバー１０６の通風開口１０５の縁部に係合させ、表側より取り付ける構成としていたので、カバー１０６の表面にフィルター１０８が重なる形となるため、カバー１０６に格子などを設けた場合、フィルター１０８の厚み分、厚くなり、インテイア性が悪化するという課題があった。
【０００６】
また、フィルター１０８の樹脂の枠部１０７が表側より見えるため、インテイア性が悪化するという課題があった。
【０００７】
また、カバー１０６とフィルター１０８の樹脂の枠部１０７との隙間が表側より見えるため、隙間のばらつきが目立ちやすくなるという課題があった。
【０００８】
本発明は、このような従来の課題を解決するもので、インテイア性の良いフィルター付きの換気装置を提供することを目的としている。
【課題を解決するための手段】
【０００９】
本発明の換気装置は上記目的を達成するために、壁部等に設けた換気口に装着される形状で内部にファンモータを有した筒部とフランジ部とによりなる本体と、この本体のフランジ部を覆うように設けられる形状で中央部に通風開口が形成されるカバーと、このカバーの通風開口に設けられるフィルターとを備え、前記カバーは、前面を前方に膨出して湾曲面に形成するとともに、前記フィルターは前記カバーの湾曲面に沿わせる構成とし、前記フィルターの弾性力によって、前記カバーの内面の通風開口縁部に設けた爪に係合させて、前記フィルターを前記カバーの裏面側から前記通風開口に着脱自在に設けた構成としたものである。
【００１０】
また、他の手段は、フィルターを、細い線材をほこり等が付着可能な間隔をあけて縦方向に多数並設し形成したものである。
【００１１】
また、他の手段は、周囲に枠部を設けてフィルターを樹脂により形成したものである。
【００１２】
また、他の手段は、フィルターの下部に着脱用の取手を設けたものである。
【００１３】
また、他の手段は、カバーに引掛部を設け、フィルターに係合する係合孔を設けたものである。
【００１４】
また、他の手段は、フィルターとカバーを樹脂で一体に形成したものである。
【００１５】
また、他の手段は、通風開口に格子を有したカバーを備え、前記通風開口にフィルターを装着可能に設けたものである。
【００１６】
また、他の手段は、カバーの格子はフィルターの保持部材と位置を揃えたものである。
【発明の効果】
【００１７】
本発明によれば、壁部等に設けた換気口に装着される形状で内部にファンモータを有した筒部とフランジ部とによりなる本体と、この本体のフランジ部を覆うように設けられる形状で中央部に通風開口が形成されるカバーと、このカバーの通風開口に設けられるフィルターとを備え、前記カバーは、前面を前方に膨出して湾曲面に形成するとともに、前記フィルターは前記カバーの湾曲面に沿わせる構成とし、前記フィルターの弾性力によって、前記カバーの内面の通風開口縁部に設けた爪に係合させて、前記フィルターを前記カバーの裏面側から前記通風開口に着脱自在に設けたので、フィルターの枠部の出っ張りをなくすことができ、またフィルターの枠部が表側より見えなくなり、また、フィルターの枠部とカバーの隙間が目立ちにくくなるため、インテイア性の良い換気装置を提供できる。
【００１８】
また、フィルターを、細い線材をほこり等が付着可能な間隔をあけて縦方向に多数並設し形成したので、フィルターに付着したほこりの掃除性の向上および結露水の付着による目詰まりを低減できる換気装置を提供できる。
【００１９】
また、周囲に枠部を設けてフィルターを樹脂により形成したので、フィルターと枠部の接続部分のほこりの目詰まりを防ぐことができる。
【００２０】
また、フィルターの下部に着脱用の取手を設けたので、フィルターを着脱する場合に操作性が容易になる。
【００２１】
また、カバーに引掛け部を設け、フィルターに係合する係合孔を設けたので、カバーの引掛部がフィルターの係合孔に係合されているため、フィルターがカバーから外れることを防止できる。
【００２２】
また、フィルターとカバーを樹脂で一体に形成したので、フィルターとカバーの接続部分におけるほこりの目詰まりが防止でき、カバーとフィルター間の段差がなくなり掃除性が向上する。
【００２３】
また、通風開口に格子を有したカバーを備え、前記通風開口にフィルターを装着可能に設けたので、別売のフィルターを購入することにより、フィルター無しの換気装置を容易にフィルター付の換気装置に変えることができる。
【００２４】
また、カバーの格子はフィルターの保持部材と位置を揃えたので、ラインがばらばらにならず位置が統一され、インテイア性の良い換気装置を提供できる。
【発明を実施するための最良の形態】
【００２５】
本発明の請求項１記載の換気装置は、壁部等に設けた換気口に装着される形状で内部にファンモータを有した筒部とフランジ部とによりなる本体と、この本体のフランジ部を覆うように設けられる形状で中央部に通風開口が形成されるカバーと、このカバーの通風開口に設けられるフィルターとを備え、前記カバーは、前面を前方に膨出して湾曲面に形成するとともに、前記フィルターは前記カバーの湾曲面に沿わせる構成とし、前記フィルターの弾性力によって、前記カバーの内面の通風開口縁部に設けた爪に係合させて、前記フィルターを前記カバーの裏面側から前記通風開口に着脱自在に設けたことにより、フィルターの枠部の出っ張りをなくすことができ、またフィルターの枠部が表側より見えなくなり、また、フィルターの枠部とカバーの隙間が目立ちにくくなるため、インテイア性が良くなるという作用を有する。
【００２６】
また、フィルターを、細い線材をほこり等が付着可能な間隔をあけて縦方向に多数並設し形成したことにより、フィルターに付着したほこりの掃除性の向上および結露水の付着による目詰まりを低減できるという作用を有する。
【００２７】
また、周囲に枠部を設けてフィルターを樹脂により形成したことにより、フィルターと枠部の接続部分のほこりの目詰まりを防ぐことができるという作用を有する。
【００２８】
また、フィルターの下部に着脱用の取手を設けたことにより、フィルターを着脱する場合に操作性が容易になるという作用を有する。
【００２９】
また、カバーに引掛部を設け、フィルターに係合する係合孔を設けたことにより、カバーの引掛部がフィルターの係合孔に係合され、フィルターがカバーから外れることを防止できるという作用を有する。
【００３０】
また、フィルターとカバーを樹脂で一体に形成したことにより、フィルターとカバーの接続部分におけるほこりの目詰まりが防止でき、カバーとフィルター間の段差がなくなり掃除性が向上するという作用を有する。
【００３１】
また、通風開口に格子を有したカバーを備え、前記通風開口にフィルターを装着可能に設けたことにより、別売のフィルターを購入することにより、フィルター無しの換気装置を容易にフィルター付の換気装置に変えることができるという作用を有する。
【００３２】
また、カバーの格子はフィルターの保持部材と位置を揃えたことにより、ラインがばらばらにならず、位置が統一され、インテイア性の良くなるという作用を有する。
【００３３】
以下、本発明の実施の形態について図１〜図８を参照しながら説明する。
【００３４】
（実施の形態１）
図１〜図５に示すように、壁部１にパイプ２を埋設して形成した換気口３に装着される形状で内部にファンモータ４を有した筒部５と、筒部５の室内側の端部に筒部５より外方に突出する形状で壁部１に取り付けられるフランジ部６とにより本体７を形成し、本体７のフランジ部６を覆う形状で前面を前方に膨出して湾曲面８を形成し、中央部に通風開口９が形成されるカバー１０を設け、細い線材１１をほこり等が付着可能な所定の間隔をあけて縦方向に複数の保持部材１２を介して多数並設し、周囲に枠部１３を設け、ほぼ平面状となるように樹脂によりフィルター１４を形成し、カバー１０の裏面側２０の複数個所には通風開口９の縁部に爪１５を設け、フィルター１４の枠部１３と係合させる。爪１５は通風開口９のほぼ角部付近に設けられており、その形状は湾曲面８に沿わせて形成されているため、フィルター１４の枠部１３を係合する隙間は、湾曲形状と同様の形状にして沿わせた形状となっている。
【００３５】
また、フィルター１４の細い線材１１の所定の間隔は、０．５ｍｍ〜２ｍｍ程度とするのがほこりまたは水滴の除去性から望ましい。
【００３６】
また、線材１１の断面形状は、矩形、だ円形、円形、流線形により形成され、フィルター１４を通過する気流の抵抗を軽減し、フィルター１４の拭き取りを容易にするものである。
【００３７】
上記構成において、換気装置を設置するときには、壁部１に埋設したパイプ２内に本体７の筒部５を装着し、フランジ部６を壁部１に取り付け本体７を壁部１に設け、カバー１０の通風開口９の縁部に係合する爪１５にフィルター１４を保持させたカバー１０をフランジ部６を覆うように係合して取り付ける。
【００３８】
また、枠部１３を係合させた時には、爪１５が通風開口９のほぼ角部付近に設けて、線材１１の弾性力に抗して上下方向から湾曲させ、ほぼ平面状のフィルター１４をカバー１０の湾曲面８に縦方向の線材１１がフィルター１４の平面状に復帰しようとする弾性力を働かせ、フィルター１４をカバーに密着させることができる。さらに、爪１５の位置は通風開口９のほぼ角部付近に形成されているため、上下方向のみならず、左右方向においても保持部材１２の弾性力を働かせて同様の作用を有する。
【００３９】
次に、換気装置を運転することにより、室内のほこりを含む汚染された空気がフィルター１４を介してファンモータ４により排気され、空気中に含まれるほこり等は線材１１を縦方向に設け形成したフィルター１４に付着し浄化され、浄化された空気がファンモータ４に接触することとなる。
【００４０】
そして、フィルター１４に付着したほこりを取り除くときには、布等をフィルター１４を形成している線材１１に沿うように上から下への縦方向に移動させ拭くことにより線材１１に付着したほこりが容易に取り除かれる。
【００４１】
また、図２に示すとおり、フィルター１４をカバー１０より取り外すときには、取手１６を持ち上げ、爪１５を順に外していき、そして、係合孔１７をずらし、引掛部１８から外し、フィルター１４を取り外す。爪１５の形状は図５に示すような引掛け形状となっており、フィルター１４のＬ字の係合孔１７をずらして係合させる。
【００４２】
また、フィルター１４を取り付ける時は、取手１６を持ち、係合孔１７を引掛部１８に通し、ずらして係合させ、その後爪１５を片側より嵌めていく。なお、引掛部１８と爪１５の着脱順序はどちらからでも作業性に差異はない。
【００４３】
なお、ファンモータ４により形成される気流は、室外気を室内側に取り入れるように形成しても同様の効果を奏する。
【００４４】
このように本発明の実施の形態１の換気装置によれば、壁部１に設けた換気口３に装着される形状で、内部にファンモータ４を有した筒部５とフランジ部６とによりなる本体７と、本体７のフランジ部６を覆うように設けられる形状で中央部に通風開口９が形成されるカバー１０と、カバー１０の通風開口９に設けられるフィルター１４とを備え、前記カバー１０は、前面を前方に膨出して湾曲面８に形成するとともに、前記フィルター１４は前記カバーの湾曲面８に沿わせる構成とし、前記フィルター１４の弾性力によって、前記カバー１０の内面の通風開口９縁部に設けた爪１５に係合させて、前記フィルター１４を前記カバーの裏面側２０から前記通風開口９に着脱自在に設けたことにより、フィルター１４の枠部１３の出っ張りをなくすことができ、またフィルター１４の枠部１３が表側より見えなくなり、また、フィルター１４の枠部１３とカバー１０の隙間が目立ちにくくなるため、インテイア性が良くすることができる。
【００４５】
また、フィルター１４を細い線材１１をほこり等が付着可能な所定の間隔をあけて縦方向に多数並設して形成することにより、ほこりの捕集性能を維持しながらフィルター１４を形成する線材１１に付着したほこりを布等の掃除具を線材１１の設けられる縦方向に移動させることにより、線材１１に沿い移動させた掃除具により拭き取られることとなり、拭き取り時のほこりの引っかかりが少なくなり、掃除性が向上するとともに、水洗時の水切り性が向上する。
【００４６】
また、浴室等の水滴の多い場所に設置したときにおいては、フィルター１４に付着した結露水は重力により縦方向に設けた線材１１に沿い下降し、結露水の付着による目詰まりが緩和され換気性能の低下するのを低減することができる。
【００４７】
また、周囲に枠部１３を設けてフィルター１４を樹脂により形成したので、線材１１と枠部１３の接続部分へのほこりの目詰まりを防ぐことができるとともに、フィルター１４をカバー１０とは別に樹脂で形成することにより、カバー１０とは性質の異なる異質の材料で形成することができ、例えば、フィルターの弾性力等を考慮した機能に適応した材質でカバー１０とフィルター１４をそれぞれ形成することができる。
【００４８】
また、フィルター１４をカバー１０に着脱自在に設けたので、フィルター１４をカバー１０より取り外し繰り返し洗浄ができるとともに、フィルター１４が破損したときにおいても、破損したフィルター１４を取り外し、新しいフィルター１４と容易に交換することができ、カバー１０全体を交換する場合と比較して安価となる。
【００４９】
また、ほぼ平面状に形成したフィルター１４をカバー１０の通風開口９のほぼ角部付近に爪１５を設けて、フィルター１４の縦方向の線材１１が湾曲面８に沿って弾性力が働くように枠部１３と爪１５を係合する構成としたので、フィルター１４とカバー１０の密着性を向上することができ、フィルター１４以外の部分からの風漏れを防止することができる。爪１５の位置は通風開口９のほぼ角部付近のため、上下方向のみならず、左右方向においても保持部材１２の弾性力を働かせて同様の密着性を保つことができる。
【００５０】
また、フィルター１４の下部に着脱用の取手１６を設けたことにより、フィルター１４を着脱する場合に操作性が容易になる。
【００５１】
また、カバー１０に引掛部１８を設け、フィルターに係合する係合孔１７を設けたことにより、掃除の時などに表側よりフィルター１４を押された場合にフィルター１４がカバー１０から外れることを防止できる。
【００５２】
なお、フィルター１４はほぼ平面状としていて湾曲面を上下方向に形成していることから、左右方向の形状に関しては、上下方向と比較し、湾曲させた時の弾性力の作用が働きにくいため、カバー１０と同形状またはカバー１０のＲ（曲面）よりも小さなＲにすることでフィルター１４をカバー１０に容易に沿わすことができ、インテイア性も良くなることから望ましい。
【００５３】
（実施の形態２）
図６に示すように、フィルター１４Ａとカバー１０Ａを樹脂で一体に形成して構成する。
【００５４】
上記構成においては、フィルター１４Ａを形成する線材１１Ａの端部と保持部材１２Ａの端部が直接カバー１０Ａに接続される形となる。
【００５５】
このように本発明の実施の形態２の換気装置によれば、フィルター１４Ａに形成する線材１１Ａと保持部材１２Ａの端部を直接カバー１０Ａに接続した形で樹脂で一体に形成したので、カバー１０Ａとフィルター１４Ａの接続部分へのほこりの目詰まりが緩和されるとともに、フィルター１４Ａの周囲に枠部を設ける必要がなくなりカバー１０Ａの面に沿いフィルター１４Ａが形成されることにより段差がなくなりフィルター１４Ａの拭き取り動作がスムーズになり、掃除性を向上することができる。
【００５６】
（実施の形態３）
図７、図８に示すように、カバー１０Ｂの通風開口９Ａに格子１９を形成したフィルター無しの換気装置を、フィルター付換気装置に変換する場合に、通風開口９Ａに格子１９を有したカバー１０Ｂを備え、カバー１０Ｂに設けた通風開口９Ａの縁に設けた複数の爪１５Ａに係合させフィルター１４Ｂを裏面側２０Ａより取り付ける構成とする。
【００５７】
また、フィルター１４Ｂを取り付けた状態においては、格子１９の位置とフィルター１４Ｂの保持部材１２Ｂの位置は揃えられている。これは、格子１９と保持部材１２Ｂの本数が同じでない場合においても、それぞれの位置は揃えるように構成されている。
【００５８】
上記構成において、フィルター無しの換気装置をフィルター付の換気装置に変換する場合には、フィルター１４Ｂを新しく入手して入手したフィルター１４Ｂをカバー１０Ｂの裏面側よりカバー１０Ｂの通風開口９Ａの縁に設けた爪１５Ａに係合して、フィルター無しの換気装置のカバー１０Ｂの裏面側にフィルター１４Ｂを取り付けフィルター付換気装置に形成する。
【００５９】
このように本発明の実施の形態３の換気装置によれば、通風開口９Ａに格子１９を設けたフィルター無しの換気装置をフィルター付換気装置に変換する場合には、フィルター１４Ｂのみを入手し、通風開口９Ａに格子１９を有したカバー１０Ｂに、フィルター１４Ｂを装着可能としたので、フィルター無しの換気装置をフィルター付の換気装置に変換するのにフィルター１４Ｂのみを入手することによりフィルター無しの換気装置をフィルター付換気装置に容易に変換できるとともに、換気装置全体あるいはカバー１０Ｂを変換する場合と比較して安価で変換することができる。
【００６０】
また、カバー１０Ｂの格子１９はフィルター１４Ｂの保持部材１２Ｂと位置を揃えたので、ラインがばらばらにならず、位置が統一され、インテイア性の良い換気装置を提供できる。
【産業上の利用可能性】
【００６１】
本発明の換気装置は、カバーから着脱できるフィルターを有して、インテイア性に優れたフィルターによってほこり等を除去する空気調和装置等にも有用である。
【図面の簡単な説明】
【００６２】
【図１】本発明の実施の形態１の換気装置の正面図
【図２】同換気装置のカバー裏面側を示す正面図
【図３】同換気装置の設置状態を示す側面構成図
【図４】同換気装置のフィルターの正面図
【図５】同換気装置のカバーの引掛部の拡大図
【図６】本発明の実施の形態２の換気装置のフィルターの正面図
【図７】本発明の実施の形態３の換気装置のカバーの裏面側を示す斜視図
【図８】同換気装置の側面断面図
【図９】従来の換気装置の斜視図
【符号の説明】
【００６３】
１      壁部
３      換気口
４      ファンモータ
５      筒部
６      フランジ部
７      本体
８      湾曲面
９      通風開口
９Ａ    通風開口
１０    カバー
１０Ａ  カバー
１０Ｂ  カバー
１１    線材
１２Ｂ  保持部材
１３    枠部
１４    フィルター
１４Ａ  フィルター
１４Ｂ  フィルター
１６    取手
１７    係合孔
１８    引掛部
１９    格子
２０    裏面側
２１Ａ  裏面側
【図１】
2008241102.tif 000003
【図２】
2008241102.tif 000004
【図３】
2008241102.tif 000005
【図４】
2008241102.tif 000006
【図５】
2008241102.tif 000007
【図６】
2008241102.tif 000008
【図７】
2008241102.tif 000009
【図８】
2008241102.tif 000010
【図９】
2008241102.tif 000011